(57)【要約】【課題】撮像素子の少なくとも撮像面が露出する開口部を備えるセンサープレートと、光学レンズを保持する鏡筒との取付構造において、部品点数を削減して、実装を簡略化する。【解決手段】撮像素子７を囲むように配置され、撮像素子７の少なくとも撮像面が露出する開口部を備えるセンサープレート６と、光学レンズ２を保持する鏡筒１との取付構造であって、センサープレート６の開口部は、撮像素子７の四辺にそれぞれ平行な四辺で形成される第１の開口部６１と、その第１の開口部６１の上位に形成され、撮像素子７の撮像面の上方方向に突出する円筒状の第２の開口部６２と、から構成される。また、鏡筒１の少なくとも一部は、センサープレート６の円筒状の第２の開口部６２に対応した円柱状１２に形成されている。そして、鏡筒の円柱状の部分１２をセンサープレートの円筒状の第２の開口部６２に嵌め込むようにして鏡筒１とセンサープレート６を取付ける。【選択図】図２
2016109882.tif 000002
【特許請求の範囲】
【請求項１】
撮像素子を囲むように配置され、前記撮像素子の少なくとも撮像面が露出する開口部を備えるセンサープレートと、光学レンズを保持する鏡筒との取付構造であって、
前記センサープレートの開口部は、
前記撮像素子の四辺にそれぞれ平行な四辺で形成される第１の開口部と、
前記第１の開口部の上位に形成され、前記撮像素子の撮像面の上方方向に突出する円筒状の第２の開口部と、から構成され、
前記鏡筒の少なくとも一部は、前記センサープレートの円筒状の第２の開口部に対応した円柱状に形成されており、
前記鏡筒の円柱状の部分を前記センサープレートの円筒状の第２の開口部に嵌め込むようにして、前記鏡筒と前記センサープレートを取付けることを特徴とするセンサープレートと鏡筒の取付構造。
【請求項２】
前記撮像素子の平行する二辺のいずれかと、当該撮像素子の平行する二辺に平行な前記センサープレートの第１の開口部の平行する二辺は、接着剤により固定されていることを特徴とする請求項１に記載のセンサープレートと鏡筒の取付構造。
【請求項３】
前記センサープレートの円筒状の第２の開口部の内周と前記鏡筒の円柱状の部分の外周には、ネジ山が形成されていることを特徴とする請求項１または２に記載のセンサープレートと鏡筒の取付構造。
【請求項４】
請求項１から３のいずれか一項に記載のセンサープレートと鏡筒の取付構造を備えることを特徴とする撮像装置。
【発明の詳細な説明】
【技術分野】
【０００１】
本発明は、撮像素子の少なくとも撮像面が露出する開口部を備えるセンサープレートと、光学レンズを保持する鏡筒の取付構造、及びそのセンサープレートと鏡筒の取付構造を備える撮像装置に関する。
【背景技術】
【０００２】
デジタルカメラにおいて、撮像レンズを収容したレンズ筐体に対し、撮像素子を搭載したセンサーホルダはネジ止めして実装される（例えば特許文献１参照）。
具体的には、撮像素子をセンサープレートに接着剤で固定したセンサーアッシーをレンズホルダにネジで固定していた。
【０００３】
また、特許文献２において、レンズユニットと撮像素子を精度良く位置調整して組み立てることが可能な取付構造が提案される。
その取付構造は、撮像素子が搭載される基板の穴に固定金具が嵌め込まれ、撮像素子と固定金具とが接着剤によって接着され、その撮像素子と固定金具が接着された基板をレンズユニットに装着させてから、基板の上に保持金具を載せ、基板は固定させず、保持金具がレンズユニットにネジで固定される。
【先行技術文献】
【特許文献】
【０００４】
【特許文献１】特開平５−２９２３８０号公報
【特許文献２】特開２０１４−１１９５９５号公報
【発明の概要】
【発明が解決しようとする課題】
【０００５】
しかし、特許文献１のように、撮像素子をセンサーホルダに接着剤で固定したセンサーアッシーをレンズホルダにネジで固定する構造や、特許文献２のように、撮像素子と固定金具が接着された基板の上に載せた保持金具をレンズユニットにネジで固定する構造は、何れも複数のネジを必要とし、そのネジ止め作業が面倒であった。
【０００６】
本発明の課題は、撮像素子の少なくとも撮像面が露出する開口部を備えるセンサープレートと、光学レンズを保持する鏡筒との取付構造において、部品点数を削減して、実装を簡略化することである。
【課題を解決するための手段】
【０００７】
以上の課題を解決するため、本発明は、
撮像素子を囲むように配置され、前記撮像素子の少なくとも撮像面が露出する開口部を備えるセンサープレートと、光学レンズを保持する鏡筒との取付構造であって、
前記センサープレートの開口部は、
前記撮像素子の四辺にそれぞれ平行な四辺で形成される第１の開口部と、
前記第１の開口部の上位に形成され、前記撮像素子の撮像面の上方方向に突出する円筒状の第２の開口部と、から構成され、
前記鏡筒の少なくとも一部は、前記センサープレートの円筒状の第２の開口部に対応した円柱状に形成されており、
前記鏡筒の円柱状の部分を前記センサープレートの円筒状の第２の開口部に嵌め込むようにして、前記鏡筒と前記センサープレートを取付けることを特徴とする。
【発明の効果】
【０００８】
本発明によれば、センサープレートと鏡筒を、部品点数を削減して、簡単に取付けることができる。
【図面の簡単な説明】
【０００９】
【図１】本発明を適用したセンサープレートと鏡筒の取付構造の一実施形態の構成を示すもので、センサーアッシーを上方から示した斜視図である。
【図２】図１のセンサーアッシーに鏡筒を組み付けた状態を側方から示した斜視図である。
【図３】図２の組み付け状態のセンサーアッシー及び鏡筒の中央を縦断面で示した図である。
【図４】図３のセンサーアッシーに対する鏡筒の組み付け時を示した図である。
【図５】センサープレートの拡大斜視図である。
【図６】センサープレートの二部品構造例を示した分解斜視図である。
【図７】レンズ光軸と撮像面位置の調整を示すもので、初期セット状態を示した中央縦断面図である。
【図８】Ｘ，Ｙ，Ｚ位置調整を示した図である。
【図９】傾き（ピッチ、ヨー、ロール）調整を示した図である。
【図１０】接着、硬化、固定を示した図である。
【発明を実施するための形態】
【００１０】
以下、図を参照して本発明を実施するための形態を詳細に説明する。
（実施形態）
図１から図３は本発明を適用したセンサープレート６と鏡筒１の取付構造の一実施形態の構成を示すもので、２は光学レンズ、３は光学フィルター、４は両面テープ、５はセンサーアッシー、７は撮像素子、８は接着剤、９はセンサー基板である。
【００１１】
図示のように、鏡筒１には、光学レンズである撮影レンズ２（図示例では鏡筒１及び撮影レンズ２が同一断面）が組み込まれ、撮影レンズ２の光軸上において、光学フィルター３が両面テープ４で、センサーアッシー５の撮像素子７に貼り付けられている。
撮像素子７は四角形で、センサー基板９に搭載されて、センサープレート６に形成した四角形の第１の開口部６１に対し、互いに平行する二辺において、ＵＶ硬化型の接着剤８で固定されている。
【００１２】
そして、センサープレート６には、第１の開口部６１の上位に、撮像素子７の撮像面の上方方向に突出する円筒状の第２の開口部（以下、円柱状の開口部と呼ぶ）６２が形成されている。
この円筒状の開口部６２の内周には、ネジ切りにより雌ネジ部をなすネジ山６３が形成されている。
なお、円筒状の開口部６２は、センサープレート６の第１の開口部６１上に跨るブリッジ状部６４の上に形成されている。このブリッジ状部６４の両側に、第１の開口部６１の平行する二辺部が露出している。
【００１３】
また、筐体１には、撮影レンズ２の光軸を中心とする円柱状の凸部１２が一体に形成されている。
この円柱状の凸部１２の外周には、ネジ切りにより雄ネジ部をなすネジ山１３が形成されている。このネジ山１３が、センサープレート６の円筒状の開口部６２内周のネジ山６３にネジ込んで噛み合う。
【００１４】
従って、図４に示すように、円柱状の凸部１２外周のネジ山１３を、円筒状の開口部６２内周のネジ山６３にネジ込むことで、鏡筒１とセンサープレート６を直接取付けることができる。
【００１５】
図５はセンサープレート６を拡大して示すもので、その円筒状の開口部６２は、例えばバーリング加工により形成する。
そして、そのバーリング加工後に、開口部６２内周のネジ山６３をタップ加工する。
【００１６】
また、図６に示すように、センサープレート６の第１の開口部６１及びその上のブリッジ状部６４による本体部と、円筒状の開口部６２とを分離した二部品から構成し、その円筒状の開口部６２内周にネジ山６３をタップ加工後に、センサープレート６本体部のブリッジ状部６４の円穴に、円筒状の開口部６２を圧入して溶接等により一体化してもよい。
【００１７】
次に、撮影レンズ２の光軸と撮像素子７の撮像面位置の調整について説明する。
【００１８】
先ず、図７に示すように、センサー基板９をその下面で撮影レンズ２のほぼ光軸位置において吸着ノズルＮ１の上に吸着する一方、センサープレート６をその上面で複数（図示例ではブリッジ状部６４の両側で第１の開口部６１が露出する平行する二辺部側の２個）の吸着ノズルＮ２の下に吸着する。
【００１９】
次に、図８に矢印で示すように、上下の吸着ノズルＮ１、Ｎ２をＸ，Ｙ，Ｚ方向に各々移動させることにより、撮影レンズ２の精度バラツキを吸収する方向に撮像素子７を移動させて、撮影レンズ２の光軸と撮像素子７の撮像面のＸ，Ｙ，Ｚ方向の位置を調整する。
【００２０】
続いて、図９に矢印で示すように、下側の吸着ノズルＮ１を回転させたり、上側の吸着ノズルＮ２を回転させたり、上下の吸着ノズルＮ１、Ｎ２を傾かせたりすることにより、同様に撮影レンズ２の精度バラツキを吸収する方向に撮像素子７を移動させて、撮影レンズ２の光軸と撮像素子７の撮像面の傾き（ピッチ、ヨー、ロール）を調整する。
【００２１】
その後、撮影レンズ２の光軸と撮像素子７の撮像面のＸ，Ｙ，Ｚ方向の位置及び傾き（ピッチ、ヨー、ロール）がベストな位置において、センサープレート６の第１の開口部６１と撮像素子７との互いに平行する二辺間に、図１０に示すように、ＵＶ硬化型の接着剤８をそれぞれ塗布する。
そして、その両側の接着剤８にＵＶを照射して硬化させることにより、センサープレート６と撮像素子７を固定する。
【００２２】
このように、撮影レンズ２の光軸に対して撮像素子７の撮像面位置（Ｘ，Ｙ，Ｚ、傾き３軸の合計６軸）を極めて正確に取り付けることができ、レンズ固有のばらつき（光軸ずれ、傾き等）を相殺する方向に、撮像素子７の撮像面を個別に調整しながら、撮像素子７をセンサープレート６に接着剤８で直接固定することができる。
【００２３】
以上、実施形態のセンサープレート６と鏡筒１の取付構造によれば、円柱状の凸部１２を円筒状の開口部６２に嵌め込むようにして、すなわち、円柱状の凸部１２外周のネジ山１３を、円筒状の開口部６２内周のネジ山６３にネジ込むことにより、鏡筒１とセンサープレート６を直接取付けるので、部品点数を削減して、センサープレート６と鏡筒１を簡単に実装することができる。
【００２４】
従って、デジタルカメラにおいて、撮影レンズ２と撮像素子７を簡易に実装することができる。
【００２５】
また、特に固定焦点タイプの撮影レンズ２のアッシー構造において、鏡枠を廃することが可能となる。
【００２６】
そして、円柱状の凸部１２を円筒状の開口部６２にネジ込んで鏡筒１とセンサープレート６を直接取付けた構造のため、撮影レンズ２内への異物の進入対策、及び撮像素子７への異物付着対策としても有効である。
【００２７】
また、撮像素子の四辺にそれぞれ平行な四辺で形成される第１の開口部６１を備えるため、撮影レンズ２の光軸と撮像素子７の撮像面のＸ，Ｙ，Ｚ方向の位置及び傾き（ピッチ、ヨー、ロール）がベストな位置において、撮像素子７をセンサープレート６に固定することができる。
【００２８】
（変形例）
以上の実施形態においては、カメラとしたが、本発明はこれに限定されるものではなく、カメラを備える携帯電話など他の電子機器であってもよい。
また、センサープレート及び鏡筒の形状等も任意であり、その他、具体的な細部構造等についても適宜に変更可能であることは勿論である。
例えば、上記の実施形態においては、センサープレート６の円筒状の開口部６２の内周と、筐体１の円柱状の凸部１２の外周にネジを形成して、鏡筒１とセンサープレート６をネジ込むことで取付けるようにしたが、ネジを形成せずに、筐体１の円柱状の凸部をセンサープレート６の円筒状の開口部６２に差し込んでローレットネジ等で固定してもよい。
さらに、上記の実施形態においては、筐体１に円柱状の凸部１２を設けたが、鏡筒１の少なくとも一部が、センサープレート６の円筒状の開口部６２に対応した円柱状に形成されていてもよい。
【００２９】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
撮像素子を囲むように配置され、前記撮像素子の少なくとも撮像面が露出する開口部を備えるセンサープレートと、光学レンズを保持する鏡筒との取付構造であって、
前記センサープレートの開口部は、
前記撮像素子の四辺にそれぞれ平行な四辺で形成される第１の開口部と、
前記第１の開口部の上位に形成され、前記撮像素子の撮像面の上方方向に突出する円筒状の第２の開口部と、から構成され、
前記鏡筒の少なくとも一部は、前記センサープレートの円筒状の第２の開口部に対応した円柱状に形成されており、
前記鏡筒の円柱状の部分を前記センサープレートの円筒状の第２の開口部に嵌め込むようにして、前記鏡筒と前記センサープレートを取付けることを特徴とするセンサープレートと鏡筒の取付構造。
＜請求項２＞
前記撮像素子の平行する二辺のいずれかと、当該撮像素子の平行する二辺に平行な前記センサープレートの第１の開口部の平行する二辺は、接着剤により固定されていることを特徴とする請求項１に記載のセンサープレートと鏡筒の取付構造。
＜請求項３＞
前記センサープレートの円筒状の第２の開口部の内周と前記鏡筒の円柱状の部分の外周には、ネジ山が形成されていることを特徴とする請求項１または２に記載のセンサープレートと鏡筒の取付構造。
＜請求項４＞
請求項１から３のいずれか一項に記載のセンサープレートと鏡筒の取付構造を備えることを特徴とする撮像装置。
【符号の説明】
【００３０】
１  鏡筒
１２  円柱状の部分
１３  ネジ山
２  光学レンズ
３  光学フィルター
４  両面テープ
５  センサーアッシー
６  センサープレート
６１  第１の開口部
６２  円筒状の第２の開口部
６３  ネジ山
６４  ブリッジ状部
７  撮像素子
８  接着剤
９  センサー基板
Ｎ１  吸着ノズル
Ｎ２  吸着ノズル
【図１】
2016109882.tif 000003
【図２】
2016109882.tif 000004
【図３】
2016109882.tif 000005
【図４】
2016109882.tif 000006
【図５】
2016109882.tif 000007
【図６】
2016109882.tif 000008
【図７】
2016109882.tif 000009
【図８】
2016109882.tif 000010
【図９】
2016109882.tif 000011
【図１０】
2016109882.tif 000012